【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
出力プリンタを選択する選択手段と、
出力プリンタがコンテンツデータをファイルに変換する仮想プリンタである場合、コンテンツデータの出力を禁止する禁止手段とを備えることを特徴とするプリント制御装置。
【請求項２】
前記禁止手段は、出力プリンタがコンテンツデータをファイルに変換する仮想プリンタでない場合、スプールされたデータの保存ができないように、スプールされたデータの保存を可能にする設定を解除することを特徴とする請求項１記載のプリント制御装置。
【請求項３】
出力プリンタを選択し、
出力プリンタがコンテンツデータをファイルに変換する仮想プリンタである場合、コンテンツデータの出力を禁止することを特徴とするプリント制御方法。
【請求項４】
前記禁止ステップは、出力プリンタがコンテンツデータをファイルに変換する仮想プリンタでない場合、スプールされたデータの保存ができないように、スプールされたデータの保存を可能にする設定を解除するステップをさらに有することを特徴とする請求項３記載のプリント制御方法。
【請求項５】
プリント制御方法をコンピュータに実行させるプリント制御プログラムであって、前記プリント制御方法は、
出力プリンタを選択し、
出力プリンタがコンテンツデータをファイルに変換する仮想プリンタである場合、コンテンツデータの出力を禁止することを特徴とするプリント制御プログラム。
【請求項６】
前記禁止ステップは、出力プリンタがコンテンツデータをファイルに変換する仮想プリンタでない場合、スプールされたデータの保存ができないように、スプールされたデータの保存を可能にする設定を解除することを特徴とする請求項５記載のプリント制御プログラム。
【請求項７】
出力プリンタを選択する選択手段と、
出力プリンタのプリンタドライバのパラメータが、出力プリンタがコンテンツデータをファイルに変換する仮想プリンタであることを示すキーワードを含む場合、コンテンツデータの出力を禁止する禁止手段とを備えることを特徴とするプリント制御装置。
【請求項８】
前記禁止手段は、前記パラメータが前記キーワードを含まない場合、スプールされたデータの保存ができないように、スプールされたデータの保存を可能にする設定を解除することを特徴とする請求項７記載のプリント制御装置。
【請求項９】
出力プリンタを選択し、
出力プリンタのプリンタドライバのパラメータが、出力プリンタがコンテンツデータをファイルに変換する仮想プリンタであることを示すキーワードを含む場合、コンテンツデータの出力を禁止することを特徴とするプリント制御方法。
【請求項１０】
前記禁止ステップは、前記パラメータが前記キーワードを含まない場合、スプールされたデータの保存ができないように、スプールされたデータの保存を可能にする設定を設定することを特徴とする請求項９記載のプリント制御方法。
【請求項１１】
プリント制御方法をコンピュータに実行させるプリント制御プログラムであって、前記プリント制御方法は、
出力プリンタを選択し、
出力プリンタのプリンタドライバのパラメータが、出力プリンタがコンテンツデータをファイルに変換する仮想プリンタであることを示すキーワードを含む場合、コンテンツデータの出力を禁止することを特徴とするプリント制御プログラム。
【請求項１２】
前記禁止ステップは、前記パラメータが前記キーワードを含まない場合、スプールされたデータの保存ができないように、スプールされたデータの保存を可能にする設定を解除することを特徴とする請求項１１記載のプリント制御プログラム。
【手続補正２】
【補正対象書類名】明細書
【補正対象項目名】発明の名称
【補正方法】変更
【補正の内容】
【発明の名称】プリント制御装置及び方法、並びにプログラム
【手続補正３】
【補正対象書類名】明細書
【補正対象項目名】０００１
【補正方法】変更
【補正の内容】
【０００１】
本発明は、プリント聖書装置及び方法、並びにプログラムに関する。
【手続補正４】
【補正対象書類名】明細書
【補正対象項目名】０００７
【補正方法】変更
【補正の内容】
【０００７】
本発明の目的は、コンテンツを悪意のあるユーザーに不正に複製されるのを防止することができるプリント制御装置及び方法、並びにプログラムを提供することにある。
【手続補正５】
【補正対象書類名】明細書
【補正対象項目名】０００８
【補正方法】変更
【補正の内容】
【０００８】
上記目的を達成するために、請求項１記載のプリント制御装置は、出力プリンタを選択する選択手段と、出力プリンタがコンテンツデータをファイルに変換する仮想プリンタである場合、コンテンツデータの出力を禁止する禁止手段とを備えることを特徴とする。
請求項３記載のプリント制御方法は、選択手段が、出力プリンタを選択し、禁止手段が、出力プリンタがコンテンツデータをファイルに変換する仮想プリンタである場合、コンテンツデータの出力を禁止することを特徴とする。
請求項５記載のプリント制御プログラムは、プリント制御方法をコンピュータに実行させるプリント制御プログラムであって、前記プリント制御方法は、出力プリンタを選択し、出力プリンタがコンテンツデータをファイルに変換する仮想プリンタである場合、コンテンツデータの出力を禁止することを特徴とする。
【手続補正６】
【補正対象書類名】明細書
【補正対象項目名】０００９
【補正方法】変更
【補正の内容】
【０００９】
上記目的を達成するために、請求項７記載のプリント制御装置は、出力プリンタを選択する選択手段と、出力プリンタのプリンタドライバのパラメータが、出力プリンタがコンテンツデータをファイルに変換する仮想プリンタであることを示すキーワードを含む場合、コンテンツデータの出力を禁止する禁止手段とを備えることを特徴とする。
請求項９記載のプリント制御方法は、出力プリンタを選択し、出力プリンタのプリンタドライバのパラメータが、出力プリンタがコンテンツデータをファイルに変換する仮想プリンタであることを示すキーワードを含む場合、コンテンツデータの出力を禁止することを特徴とする。
請求項１１記載のプリント制御プログラムは、プリント制御方法をコンピュータに実行させるプリント制御プログラムであって、前記プリント制御方法は、出力プリンタを選択し、出力プリンタのプリンタドライバのパラメータが、出力プリンタがコンテンツデータをファイルに変換する仮想プリンタであることを示すキーワードを含む場合、コンテンツデータの出力を禁止することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、出力プリンタが仮想プリンタである場合、コンテンツの出力を禁止するので、例えば、著作権や肖像権の付加されているデジタルコンテンツデータや、自身が有価証券となりうるデジタルコンテンツを悪意のあるユーザーに不正に複製されるのを防止することができる。
【手続補正１０】
【補正対象書類名】明細書
【補正対象項目名】００１４
【補正方法】変更
【補正の内容】
【００１４】
図１は、本発明の実施の形態に係るプリント制御装置を備えるコンテンツ配信・印刷システムの構成を概略的に示す図である。
【手続補正１１】
【補正対象書類名】明細書
【補正対象項目名】００３９
【補正方法】変更
【補正の内容】
【００３９】
図１２は、図６のプリンタドライバチェック処理の変形例の手順を示すフローチャートである。
【手続補正１２】
【補正対象書類名】明細書
【補正対象項目名】００４３
【補正方法】変更
【補正の内容】
【００４３】
図１２において、選択されたプリンタのプリンタドライバに対して、Ａ社の「拡張ドライバインターフェース」を呼び出して（ステップＳ８０１）。呼び出しが成功したか否か判別し（ステップＳ８０２、呼び出し成功ならば、チェック完了で、本処理を終了し、呼び出し失敗のとき、Ｂ社の「拡張ドライバインターフェース」を呼び出して（ステップＳ８０３）、呼び出しが成功したか否かを判別し（ステップＳ８０４）、呼び出し成功ならば、チェック完了で、本処理を終了し、呼び出し失敗のとき、Ｃ社の「拡張ドライバインターフェース」を呼び出し（ステップＳ８０５）、呼び出しが成功したか否かを判別し（ステップＳ８０６）、呼び出し成功ならば、チェック完了で、本処理を終了し、呼び出し失敗のとき、Ｄ社の「拡張ドライバインターフェース」を呼び出し（ステップＳ８０７）、呼び出しが成功したか否かを判別し（ステップＳ８０８）、呼び出し成功ならば、チェック完了で、本処理を終了し、呼び出し失敗のときは、エラー処理を行って（ステップＳ８０８）、本処理を終了する。
【手続補正１３】
【補正対象書類名】明細書
【補正対象項目名】００５０
【補正方法】変更
【補正の内容】
【００５０】
【図１】本発明の実施の形態に係るプリント制御装置を備える配信・印刷システムの構成を概略的に示す図である。
【図２】図１におけるＰＣの内部構成を概略的に示す図である。
【図３】図１のコンテンツ配信サーバーによって実行される配信準備処理の手順を示すフローチャートである。
【図４】図１におけるＰＣによって実行される印刷準備処理の手順を示すフローチャートである。
【図５】図１におけるプリンタによって実行される印刷処理の手順を示すフローチャートである。
【図６】図５のステップＳ５０２で実行されるプリンタドライバチェック処理の手順を示すフローチャートである。
【図７】図５のステップＳ５０４で実行されるプリンタドライバの設定処理の手順を示すフローチャートである。
【図８】プリンタドライバ設定画面を説明する図である。
【図９】プリンタドライバ部数設定画面を説明する図である。
【図１０】プリンタドライバスプール設定画面を説明する図である。
【図１１】プリンタドライバＲＡＷデータ保存設定画面を説明する図である。
【図１２】図６のプリンタドライバチェック処理の変形例の手順を示すフローチャートである。